(57)【要約】  ワイヤレス通信のための方法、システム、およびデバイスは記述される。基地局は、無線周波数スペクトル帯域のマルチプルなサブバンドを含むチャネル上で、クリアチャネルアセスメント（ＣＣＡ）プロシージャを実施し得る。基地局は、チャネルはＣＣＡに基づいて利用可能であると決定し得、およびチャネル中で特殊ヘッダを送信し得る。いくつかの例では、特殊ヘッダはマルチプルな送信時間間隔（ＴＴＩ）を含み得、ここで、各ＴＴＩは、無線周波数スペクトル帯域の各サブバンド中でヘッダパケットを含み得る。いくつかのケースでは、ヘッダパケットは自己への送信可（ＣＴＳ）フレーム構造を含み得る。基地局は、第１の電力レベルにおいて、サブバンドの各々にわたって第１のＴＴＩを送信し得、および異なる電力レベルにおいて、サブバンドにわたって追加のＴＴＩを送信し得る。追加のヘッダパケットは、後続のサブフレームの境界において送信され得る。
2018535600.tif 000002
【特許請求の範囲】
【請求項１】
ワイヤレス通信の方法であって、
無線周波数（ＲＦ）スペクトル帯域のマルチプルなサブバンドにわたって動作するチャネル上で、クリアチャネルアセスメント（ＣＣＡ）プロシージャを実施することと、
前記チャネルは前記実施されたＣＣＡに少なくとも部分的に基づいて、利用可能であると決定することと、および
マルチプルなサブバンドにわたって動作する前記チャネル中で、特殊ヘッダを送信することと、ここにおいて、前記特殊ヘッダが２つまたはそれ以上の送信時間間隔（ＴＴＩ）を備え、各ＴＴＩは２つまたはそれ以上のサブバンドの各々中でヘッダパケットを備える、
を備える、方法。
【請求項２】
第１の電力レベルにおいて、前記２つまたはそれ以上のサブバンドの各々にわたって、前記２つまたはそれ以上のＴＴＩのうちの第１のＴＴＩを送信することと、および
異なる電力レベルにおいて、前記２つまたはそれ以上のサブバンドにわたって、前記２つまたはそれ以上のＴＴＩのうちの１つまたは複数の後続のＴＴＩを送信することと
をさらに備える、請求項１に記載の方法。
【請求項３】
前記第１の電力レベルは前記異なる電力レベルよりも小さい、請求項２に記載の方法。
【請求項４】
前記ヘッダパケットは自己への送信可フレーム構造を備える、請求項１に記載の方法。
【請求項５】
前記ＲＦスペクトル帯域の前記２つまたはそれ以上のサブバンド中で、１つまたは複数の追加のヘッダパケットを送信することをさらに備え、ここにおいて、前記追加のヘッダパケットの各々は、前記第１の電力レベルまたは前記異なる電力レベルにおいて送信される、
請求項１に記載の方法。
【請求項６】
前記１つまたは複数の追加のヘッダは後続のサブフレームの境界において同期的に送信される、請求項５に記載の方法。
【請求項７】
前記ＲＦスペクトル帯域の各サブバンドにわたって、連続パターンにおいて前記ヘッダパケットを送信することをさらに備え、ここにおいて、前記連続パターンは前記ＣＣＡに少なくとも部分的に基づく、
請求項１に記載の方法。
【請求項８】
前記ＲＦスペクトル帯域の各サブバンドにわたって、非連続パターンにおいて前記ヘッダパケットを送信することをさらに備え、ここにおいて、前記非連続パターンは前記ＣＣＡに少なくとも部分的に基づく、
請求項１に記載の方法。
【請求項９】
第１の事業者に関する第１の時間および第２の事業者に関する第２の時間において、前記特殊ヘッダを送信すること
をさらに備える、請求項１に記載の方法。
【請求項１０】
前記第１の時間は前記第２の時間とは異なる、請求項９に記載の方法。
【請求項１１】
前記特殊ヘッダは、第１の事業者に関する第１の構成および第２の事業者に関する第２の構成のものである、請求項１に記載の方法。
【請求項１２】
前記ヘッダパケットはワイヤレスフィデリティ（Ｗｉ−Ｆｉ）フレーム構造を備える、請求項１に記載の方法。
【請求項１３】
ワイヤレス通信のための装置であって、
プロセッサと、
前記プロセッサと電子通信しているメモリと、および
前記メモリに記憶され、前記プロセッサによって実行されるとき、前記装置に、
無線周波数（ＲＦ）スペクトル帯域のマルチプルなサブバンドにわたって動作するチャネル上で、クリアチャネルアセスメント（ＣＣＡ）プロシージャを実施することと、
前記チャネルは前記実施されたＣＣＡに少なくとも部分的に基づいて、利用可能であると決定することと、および
マルチプルなサブバンドにわたって動作する前記チャネル中で、特殊ヘッダを送信することと、ここにおいて、前記特殊ヘッダが２つまたはそれ以上の送信時間間隔（ＴＴＩ）を備え、各ＴＴＩは２つまたはそれ以上のサブバンドの各々中でヘッダパケットを備える、
を行わせるように動作可能な命令と
を備える、装置。
【請求項１４】
前記命令は、前記プロセッサによって実行されるとき、前記装置に、
第１の電力レベルにおいて、前記２つまたはそれ以上のサブバンドの各々にわたって、前記２つまたはそれ以上のＴＴＩのうちの第１のＴＴＩを送信することと、および
異なる電力レベルにおいて、前記２つまたはそれ以上のサブバンドにわたって、前記２つまたはそれ以上のＴＴＩのうちの１つまたは複数の後続のＴＴＩを送信することと
を行わせるように動作可能である、請求項１３に記載の装置。
【請求項１５】
前記第１の電力レベルは前記異なる電力レベルよりも小さい、請求項１４に記載の装置。
【請求項１６】
前記ヘッダパケットは自己への送信可フレーム構造を備える、請求項１３に記載の装置。
【請求項１７】
前記命令は、前記プロセッサによって実行されるとき、前記装置に、
前記ＲＦスペクトル帯域の前記２つまたはそれ以上のサブバンド中で、１つまたは複数の追加のヘッダパケットを送信することを行わせるように動作可能であり、ここにおいて、前記追加のヘッダパケットの各々は、前記第１の電力レベルまたは前記異なる電力レベルにおいて送信される、
請求項１３に記載の装置。
【請求項１８】
ワイヤレス通信のための装置であって、
無線周波数（ＲＦ）スペクトル帯域のマルチプルなサブバンドにわたって動作するチャネル上で、クリアチャネルアセスメント（ＣＣＡ）プロシージャを実施するための手段と、
前記チャネルは前記実施されたＣＣＡに少なくとも部分的に基づいて、利用可能であると決定するための手段と、および
マルチプルなサブバンドにわたって動作する前記チャネル中で、特殊ヘッダを送信するための手段と、ここにおいて、前記特殊ヘッダは２つまたはそれ以上の送信時間間隔（ＴＴＩ）を備え、各ＴＴＩは２つまたはそれ以上のサブバンドの各々中でヘッダパケットを備える、
を備える、装置。
【請求項１９】
第１の電力レベルにおいて、前記２つまたはそれ以上のサブバンドの各々にわたって、前記２つまたはそれ以上のＴＴＩのうちの第１のＴＴＩを送信するための手段と、および
異なる電力レベルにおいて、前記２つまたはそれ以上のサブバンドにわたって、前記２つまたはそれ以上のＴＴＩのうちの１つまたは複数の後続のＴＴＩを送信するための手段と
をさらに備える、請求項１８に記載の装置。
【請求項２０】
前記第１の電力レベルは前記異なる電力レベルよりも小さい、請求項１９に記載の装置。
【請求項２１】
前記ヘッダパケットは自己への送信可フレーム構造を備える、請求項１８に記載の装置。
【請求項２２】
前記ＲＦスペクトル帯域の前記２つまたはそれ以上のサブバンド中で、１つまたは複数の追加のヘッダパケットを送信するための手段をさらに備え、ここにおいて、前記追加のヘッダパケットの各々は、前記第１の電力レベルまたは前記異なる電力レベルにおいて送信される、
請求項１８に記載の装置。
【請求項２３】
前記１つまたは複数の追加のヘッダは後続のサブフレームの境界において同期的に送信される、請求項２２に記載の装置。
【請求項２４】
前記ＲＦスペクトル帯域の各サブバンドにわたって、連続パターンにおいて前記ヘッダパケットを送信するための手段をさらに備え、ここにおいて、前記連続パターンは前記ＣＣＡに少なくとも部分的に基づく、
請求項１８に記載の装置。
【請求項２５】
前記ＲＦスペクトル帯域の各サブバンドにわたって、非連続パターンにおいて前記ヘッダパケットを送信するための手段をさらに備え、ここにおいて、前記非連続パターンは前記ＣＣＡに少なくとも部分的に基づく、
請求項１８に記載の装置。
【請求項２６】
第１の事業者に関する第１の時間および第２の事業者に関する第２の時間において、前記特殊ヘッダを送信するための手段
をさらに備える、請求項１８に記載の装置。
【請求項２７】
前記第１の時間は前記第２の時間とは異なる、請求項２６に記載の装置。
【請求項２８】
前記特殊ヘッダは、第１の事業者に関する第１の構成および第２の事業者に関する第２の構成のものである、請求項１８に記載の装置。
【請求項２９】
前記ヘッダパケットはワイヤレスフィデリティ（Ｗｉ−Ｆｉ）フレーム構造を備える、請求項１８に記載の装置。
【請求項３０】
ワイヤレス通信のためのコードを記憶する非一時的コンピュータ可読媒体であって、前記コードは、
無線周波数（ＲＦ）スペクトル帯域のマルチプルなサブバンドにわたって動作するチャネル上で、クリアチャネルアセスメント（ＣＣＡ）プロシージャを実施することと、
前記チャネルは前記実施されたＣＣＡに少なくとも部分的に基づいて、利用可能であると決定することと、および
マルチプルなサブバンドにわたって動作する前記チャネル中で、特殊ヘッダを送信することと、ここにおいて、前記特殊ヘッダは２つまたはそれ以上の送信時間間隔（ＴＴＩ）を備え、各ＴＴＩは２つまたはそれ以上のサブバンドの各々中でヘッダパケットを備える、
を行うために実行可能な命令を備える、非一時的コンピュータ可読媒体。
【発明の詳細な説明】
【技術分野】
【０００１】
相互参照
[0001]本特許出願は、本出願の譲受人に譲渡され、２０１５年１１月１２日に出願された「Clear to Send-to-Self Transmissions in an LTE-Controlled Wi-Fi System」と題する、Ｚｈａｎｇらによる米国特許出願第１４／９３９，７２１号の優先権を主張する。
【０００２】
[0002]以下は、ワイヤレス通信に一般的に関し、およびより詳細には、ＬＴＥ（登録商標）制御Ｗｉ−Ｆｉシステムにおける自己への送信可送信に関する。
【背景技術】
【０００３】
[0003]ワイヤレス通信システムは、音声、ビデオ、パケットデータ、メッセージング、ブロードキャストなどのような、様々なタイプの通信コンテンツを提供するために広く展開されている。これらのシステムは、利用可能なシステムリソース（たとえば、時間、周波数、および電力）を共有することによってマルチプルな(multiple)ユーザとの通信をサポートすることが可能であり得る。そのような多元接続システム(multiple access systems)の例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。ワイヤレス多元接続通信システムは、多数の基地局を含み得、各々はマルチプルな通信デバイスに関する通信を一斉に(simultaneously)サポートし、それは、場合によってはユーザ機器（ＵＥ）として知られ得る。
【０００４】
[0004]いくつかのワイヤレス通信システムは、ＬＴＥのような、第１の無線アクセス技術（ＲＡＴ）を使用して動作し得、および多数の基地局を含み得、各々はマルチプルなユーザ機器（ＵＥ）との通信を一斉にサポートする。第２のワイヤレス通信多元接続システムは、Ｗｉ−Ｆｉのような、第２のＲＡＴに従って動作し得、および多数の基地局またはアクセスポイント（ＡＰ）を含み得、各々は共有された周波数スペクトルにおけるマルチプルなモバイルデバイスに関する通信を一斉にサポートする。ＬＴＥおよびＷｉ−Ｆｉのような、マルチプルなワイヤレス技術が、マルチプルなＡＰ、ＵＥおよび基地局をサポートするエリア中で使用される場合、これらのワイヤレスデバイスからの一斉の送信は、互いに干渉し得、およびデバイス間の通信を劣化させ得る。
【発明の概要】
【０００５】
[0005]基地局は、無線周波数スペクトル帯域のマルチプルなサブバンドを含むチャネル上で、クリアチャネルアセスメント（ＣＣＡ：clear channel assessment）プロシージャを実施し得る。基地局は、チャネルはＣＣＡに基づいて利用可能であると決定し得、およびその後、特殊(special)ヘッダを送信し得る。いくつかの例では、特殊ヘッダはマルチプルな送信時間間隔（ＴＴＩ：transmission time interval）を含み得、ここで、各ＴＴＩは、無線周波数スペクトル帯域の各サブバンド中でヘッダパケットを含み得る。いくつかのケースでは、ヘッダパケットは自己への送信可（ＣＴＳ：clear to send）フレーム構造を含み得る。基地局は、第１の電力レベルにおいて、サブバンドの各々にわたって第１のＴＴＩを送信し得、および異なる電力レベルにおいて、サブバンドにわたって追加のＴＴＩを送信し得る。追加のヘッダパケットは、後続のサブフレームの境界において送信され得る。
【０００６】
[0006]ワイヤレス通信の方法は記述される。本方法は、無線周波数（ＲＦ）スペクトル帯域のマルチプルなサブバンドにわたって動作するチャネル上で、クリアチャネルアセスメント（ＣＣＡ）プロシージャを実施することと、チャネルは実施されたＣＣＡに少なくとも部分的に基づいて、利用可能であると決定することと、およびマルチプルなサブバンドにわたって動作するチャネル中で、特殊ヘッダを送信することと、ここにおいて、特殊ヘッダは２つまたはそれ以上の送信時間間隔（ＴＴＩ）を備え、各ＴＴＩは２つまたはそれ以上のサブバンドの各々中でヘッダパケットを備える、を含み得る。
【０００７】
[0007]ワイヤレス通信に関する装置は記述される。本装置は、ＲＦスペクトル帯域のマルチプルなサブバンドにわたって動作するチャネル上で、ＣＣＡプロシージャを実施するための手段と、チャネルは実施されたＣＣＡに少なくとも部分的に基づいて、利用可能であると決定するための手段と、およびマルチプルなサブバンドにわたって動作するチャネル中で、特殊ヘッダを送信するための手段と、ここにおいて、特殊ヘッダは２つまたはそれ以上のＴＴＩを備え、各ＴＴＩは２つまたはそれ以上のサブバンドの各々中でヘッダパケットを備える、を含み得る。
【０００８】
[0008]さらなる装置は記述される。本装置は、プロセッサと、プロセッサと電子通信しているメモリと、およびメモリに記憶された命令とを含み得る。命令は、ＲＦスペクトル帯域のマルチプルなサブバンドにわたって動作するチャネル上で、ＣＣＡプロシージャを実施することと、チャネルは実施されたＣＣＡに少なくとも部分的に基づいて、利用可能であると決定することと、およびマルチプルなサブバンドにわたって動作するチャネル中で、特殊ヘッダを送信することと、ここにおいて、特殊ヘッダは２つまたはそれ以上のＴＴＩを備え、各ＴＴＩは２つまたはそれ以上のサブバンドの各々中でヘッダパケットを備える、をプロセッサに行わせるように動作可能であり得る。
【０００９】
[0009]ワイヤレス通信に関する非一時的コンピュータ可読媒体は記述される。本非一時的コンピュータ可読媒体は、ＲＦスペクトル帯域のマルチプルなサブバンドにわたって動作するチャネル上で、ＣＣＡプロシージャを実施することと、チャネルは実施されたＣＣＡに基づいて、利用可能であると決定することと、およびマルチプルなサブバンドにわたって動作するチャネル中で、特殊ヘッダを送信することと、ここで、特殊ヘッダは２つまたはそれ以上のＴＴＩを備え、各ＴＴＩは２つまたはそれ以上のサブバンドの各々中でヘッダパケットを備える、をプロセッサに行わせるための命令を含み得る。
【００１０】
[0010]上記で記述された方法、装置、または非一時的コンピュータ可読媒体のいくつかの例は、第１の電力レベルにおいて、２つまたはそれ以上のサブバンドの各々にわたって、２つまたはそれ以上のＴＴＩのうちの第１のＴＴＩを送信するためのプロセス、特徴、手段、または命令をさらに含み得る。上記で記述された方法、装置、または非一時的コンピュータ可読媒体のいくつかの例は、異なる電力レベルにおいて、２つまたはそれ以上のサブバンドにわたって、２つまたはそれ以上のＴＴＩのうちの１つまたは複数の後続のＴＴＩを送信するためのプロセス、特徴、手段、または命令をさらに含み得る。
【００１１】
[0011]上記で記述された方法、装置、または非一時的コンピュータ可読媒体のいくつかの例では、第１の電力レベルは異なるレベルよりも小さい。上記で記述された方法、装置、または非一時的コンピュータ可読媒体のいくつかの例では、ヘッダパケットは自己への送信可フレーム構造を備える。上記で記述された方法、装置、または非一時的コンピュータ可読媒体のいくつかの例は、ＲＦスペクトル帯域の２つまたはそれ以上のサブバンド中で、１つまたは複数の追加のヘッダパケットを送信するためのプロセス、特徴、手段、または命令をさらに含み得、ここで、追加のヘッダパケットの各々は、第１の電力レベルまたは異なる電力レベルにおいて送信される。
【００１２】
[0012]上記で記述された方法、装置、または非一時的コンピュータ可読媒体のいくつかの例では、１つまたは複数の追加のヘッダは、後続のサブフレームの境界において同期的に送信される。上記で記述された方法、装置、または非一時的コンピュータ可読媒体のいくつかの例は、ＲＦスペクトル帯域の各サブバンドにわたって、連続パターンにおいてヘッダパケットを送信するためのプロセス、特徴、手段、または命令をさらに含み得、ここで、連続パターンはＣＣＡに基づく。
【００１３】
[0013]上記で記述された方法、装置、または非一時的コンピュータ可読媒体のいくつかの例は、ＲＦスペクトル帯域の各サブバンドにわたって、非連続パターンにおいてヘッダパケットを送信するためのプロセス、特徴、手段、または命令をさらに含み得、ここで、非連続パターンはＣＣＡに基づく。上記で記述された方法、装置、または非一時的コンピュータ可読媒体のいくつかの例は、第１の事業者に関する第１の時間および第２の事業者に関する第２の時間において、特殊ヘッダを送信するためのプロセス、特徴、手段、または命令をさらに含み得る。
【００１４】
[0014]上記で記述された方法、装置、または非一時的コンピュータ可読媒体のいくつかの例では、第１の時間は第２の時間とは異なる。上記で記述された方法、装置、または非一時的コンピュータ可読媒体のいくつかの例では、特殊ヘッダは、第１の事業者に関する第１の構成および第２の事業者に関する第２の構成のものである。上記で記述された方法、装置、または非一時的コンピュータ可読媒体のいくつかの例では、ヘッダパケットはワイヤレスフィデリティ（Ｗｉ−Ｆｉ）フレーム構造を備える。
【図面の簡単な説明】
【００１５】
【図１】[0015]本開示の態様に従った、ＬＴＥ制御Ｗｉ−Ｆｉシステムにおける自己への送信可送信をサポートするワイヤレス通信システムの一例を示す図。
【図２】[0016]本開示の態様に従った、ＬＴＥ制御Ｗｉ−Ｆｉシステムにおける自己への送信可送信をサポートするワイヤレス通信システムの一例を示す図。
【図３】[0017]本開示の態様に従った、ＬＴＥ制御Ｗｉ−Ｆｉシステムにおける自己への送信可送信をサポートするワイヤレス通信システムの一例を示す図。
【図４】[0018]本開示の態様に従った、ＬＴＥ制御Ｗｉ−Ｆｉシステムにおける自己への送信可送信をサポートするサブフレーム構成の一例を示す図。
【図５】[0019]本開示の態様に従った、ＬＴＥ制御Ｗｉ−Ｆｉシステムにおける自己への送信可送信をサポートするシステムにおけるプロセスフローの一例を示す図。
【図６】[0020]本開示の態様に従った、ＬＴＥ制御Ｗｉ−Ｆｉシステムにおける自己への送信可送信をサポートするワイヤレスデバイスのブロック図。
【図７】本開示の態様に従った、ＬＴＥ制御Ｗｉ−Ｆｉシステムにおける自己への送信可送信をサポートするワイヤレスデバイスのブロック図。
【図８】本開示の態様に従った、ＬＴＥ制御Ｗｉ−Ｆｉシステムにおける自己への送信可送信をサポートするワイヤレスデバイスのブロック図。
【図９】[0021]本開示の態様に従った、ＬＴＥ制御Ｗｉ−Ｆｉシステムにおける自己への送信可送信をサポートする基地局を含むシステムのブロック図。
【図１０】[0022]本開示の態様に従った、ＬＴＥ制御Ｗｉ−Ｆｉシステムにおける自己への送信可送信のための方法を示す図。
【図１１】本開示の態様に従った、ＬＴＥ制御Ｗｉ−Ｆｉシステムにおける自己への送信可送信のための方法を示す図。
【図１２】本開示の態様に従った、ＬＴＥ制御Ｗｉ−Ｆｉシステムにおける自己への送信可送信のための方法を示す図。
【発明を実施するための形態】
【００１６】
[0023]ＬＴＥ／Ａネットワークのような、ワイヤレスワイドエリアネットワーク（ＷＷＡＮ）は、多数の基地局を含み得、各々はマルチプルなユーザ機器（ＵＥ）に関する通信を一斉にサポートする。そのようなＷＷＡＮにおける通信は、専用(dedicated)またはライセンスされている(licensed)スペクトルにおけるマルチプルな無線周波数帯域（たとえば、４つの２０ＭＨｚ帯域を含む８０ＭＨｚ帯域）上で送信され得る。ＷＷＡＮは、Ｗｉ−Ｆｉネットワークのような、ワイヤレスローカルエリアネットワーク（ＷＬＡＮ）と共存し得、それは、共有された周波数スペクトル上でマルチプルなモバイルデバイスまたは局に関する通信を一斉にサポートする多数の基地局またはアクセスポイント（ＡＰ）を含み得る。ＷＬＡＮは、共有された周波数スペクトルにおける通信リンクを確立するより以前に１つまたは複数の制御フレームを通信することを含む、クリアチャネルアセスメント（ＣＣＡ）のような、コンテンションベースのプロシージャ(contention based procedures)を使用し得る。時分割複信（ＴＤＤ）ベースの通信を使用するＷＷＡＮでは、ＣＣＡは、多数の連続フレームに関して実施され得る。
【００１７】
[0024]ＷＷＡＮおよびＷＬＡＮのハイブリッド手法は使用され得、ここで、専用スペクトルはネットワークメッセージング（たとえば、制御情報、無線リソース制御（ＲＲＣ）シグナリングなど）に関して使用され得、共有されたスペクトルはデータ送信に関して使用され得る。このハイブリッド手法は、ＬＴＥ制御Ｗｉ−Ｆｉ（ＬＴＥ−ＣＷ：LTE-controlled Wi-Fi）ネットワークと言及され得る。ＬＴＥ−ＣＷを利用するワイヤレスシステムでは、専用帯域のロバストネス(robustness)は、ライセンスされていない(unlicensed)帯域中のＷｉ−Ｆｉリンクの性能およびカバレージ(coverage)を改善するために、ＬＴＥリンクを使用するように、レベレッジされ(leveraged)得る。ＬＴＥ−ＣＷ技術は、マルチプルなＵＥおよび／または異なる事業者からの他の基地局をサポートするエリア中で使用され得る。
【００１８】
[0025]ＬＴＥ−ＣＷ基地局は、ＤＬフレームの間に異なるインスタンス(instances)におけるＷｉ−Ｆｉのコンパチブルな(compatible)ヘッダを送信し得る。たとえば、Ｗｉ−Ｆｉのコンパチブルなヘッダは、基地局がＣＣＡを完了した後にチャネルはクリアであることを検出すると送信され得、および同じフレーム中の後続のダウンリンクサブフレームの境界において再び送信され得る。他の事業者に関するいずれかの追加のＬＴＥ−ＣＷ基地局の送信、またはＬＴＥ−ＣＷ基地局の範囲内のいずれかの追加のＷｉ−Ｆｉ  ＡＰの送信は、延期され得る。ヘッダは、Ｗｉ−Ｆｉシステムにおいて使用される自己への送信可（ＣＴＳ）フレーム送信（たとえば、送信ノード自体のアドレスを含むＣＴＳパケットの送信）を含み得る。ＣＴＳ−ｔｏ−Ｓｅｌｆ送信は、通信シーケンス中の後続のフレームにネットワーク割振りベクトル（network allocation vector）ＮＡＶの保護を与え得る。
【００１９】
[0026]いくつかのケースでは、ＣＴＳ−ｔｏ−Ｓｅｌｆヘッダは、共有された周波数スペクトルにおけるマルチプルなサブバンドにわたって、ＣＣＡプロシージャに続いて、基地局によって送信され得る。たとえば、基地局は、チャネルはＣＣＡプロシージャに基づいてクリアであると決定し得、および特殊ヘッダを送信し得る。特殊ヘッダは、各々が、各サブバンド中でヘッダパケット（たとえば、マルチプルな２０ＭＨｚヘッダパケット）を含む、マルチプルな送信時間間隔（ＴＴＩ）を含み得る。加えてまたは代替的に、基地局は、同じフレーム内の後続のダウンリンクサブフレームの境界において、すべてのサブバンド中で、複製されたフォーマットにおけるヘッダパケットを送信し得る。いくつかの例では、ＬＴＥ−ＣＷ基地局は、すべてのスケジュールされたサブバンド中で、等しい電力レベルを用いて（たとえば、半分の電力において）ヘッダパケットを含む特殊ヘッダを送信し得、および次いで、各サブバンド中で、異なる電力レベルにおいて（たとえば、全電力において）ヘッダパケットの送信を交互に行い得る。
【００２０】
[0027]いくつかの例では、ヘッダパケットの固定された送信パターンは、特殊ヘッダ送信に関して使用され得、ここで、すべてのサブバンド中のヘッダは、一様に(evenly)スプリットされた電力を用いて送信され得、その後に、全電力を用いて各サブバンド中の連続的なヘッダが続き得る。他のケースでは、ヘッダパケットは、ランダムまたは前もって決定されたホッピングパターン(hopping pattern)（たとえば、すべてのサブバンド上での非連続パターン）において送信され得る。
【００２１】
[0028]本開示の態様は、最初に、ワイヤレス通信システムのコンテキストにおいて記述される。サブフレームおよびヘッダ構成の特定の例はさらに与えられる。本開示の態様は、ＬＴＥ制御Ｗｉ−ＦｉシステムにおけるＣＴＳ−ｔｏ−ｓｅｌｆ送信に関する装置図、システム図、およびフローチャートによってさらに示され、およびそれらに言及して記述される。
【００２２】
[0029]図１は、本開示の様々な態様に従った、ワイヤレス通信システム１００の一例を示す。ワイヤレス通信システム１００は、基地局１０５と、ＵＥ１１５と、およびコアネットワーク１３０とを含む。いくつかの例では、ワイヤレス通信システム１００はロングタームエボリューション（ＬＴＥ）／ＬＴＥアドバンスト（ＬＴＥ−Ａ）ネットワークであり得る。ワイヤレス通信システム１００は、サブフレーム内での特殊ヘッダ送信の使用をサポートし得る。特殊ヘッダは、ＣＴＳ−ｔｏ−Ｓｅｌｆフレーム構造を含むヘッダパケットを含み得、それは、異なる技法に従って送信され得る。
【００２３】
[0030]基地局１０５は、１つまたは複数の基地局アンテナを介してＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信を含み得、または基地局１０５からＵＥ１１５へのダウンリンク（ＤＬ）送信を含み得る。ＵＥ１１５は、ワイヤレス通信システム１００全体にわたって分散され得、および各ＵＥ１１５は固定(stationary)またはモバイル(mobile)であり得る。ＵＥ１１５はまた、移動局、加入者局、リモートユニット、ワイヤレスデバイス、アクセス端末（ＡＴ）、ハンドセット、ユーザエージェント、クライアント、または同様の用語と言及され得る。ＵＥ１１５はまた、セルラーフォン、ワイヤレスモデム、ハンドヘルドデバイス、パーソナルコンピュータ、タブレット、パーソナル電子デバイス、マシンタイプ通信（ＭＴＣ）デバイス、または以下同様であり得る。
【００２４】
[0031]基地局１０５は、コアネットワーク１３０および互いと通信し得る。たとえば、基地局１０５は、バックホールリンク１３２（たとえば、Ｓ１など）を通してコアネットワーク１３０とインターフェースし得る。基地局１０５は、直接的にまたは間接的にのいずれかで（たとえば、コアネットワーク１３０を通して）バックホールリンク１３４（たとえば、Ｘ２など）を介して互いと通信し得る。基地局１０５は、ＵＥ１１５との通信に関する無線構成およびスケジューリングを実施し得るか、または基地局コントローラ（図示せず）の制御下で動作し得る。いくつかの例では、基地局１０５は、マクロセル、スモールセル、ホットスポット、または以下同様であり得る。基地局１０５はまた、ｅノードＢ（ｅＮＢ）１０５と言及され得る。
【００２５】
[0032]いくつかのケースでは、ＵＥ１１５または基地局１０５は、共有されたまたはライセンスされていない周波数スペクトルにおいて動作し得る。これらのデバイスは、チャネルは利用可能であるかどうかを決定するために、通信するより以前にＣＣＡを実施し得る。ＣＣＡは、いずれかの他のアクティブな送信があるかどうかを決定するためのエネルギー検出のプロシージャを含み得る。たとえば、デバイスは、電力計の受信信号強度指示（ＲＳＳＩ：received signal strength indication）の変化が、チャネルは占有されることを示すと推論し得る。詳細には、ある帯域幅中に集中され、および前もって決定された雑音フロアを超える信号電力は、別のワイヤレス送信機を示し得る。ＣＣＡは、チャネルの使用を示す特定のシーケンスの検出をも含み得る。たとえば、別のデバイスは、データシーケンスを送信するより以前に特定のプリアンブルを送信し得る。いくつかのケースでは、ＣＣＡプロシージャは、ＬＴＥ−ＣＷネットワーク中で使用され得、ここで、マルチプルな周波数帯域は通信に関して使用され得る。
【００２６】
[0033]ＬＴＥにおける時間間隔は、基本の時間単位（たとえば、サンプリング周期、Ｔｓ＝１／３０，７２０，０００秒）の倍数で表され得る。時間リソースは、１０ｍｓの長さの無線フレーム（Ｔｆ＝３０７２００Ｔｓ）に従って編成され得、それは、０から１０２３に及ぶシステムフレーム番号（ＳＦＮ）によって特定され得る。各フレームは、０から９までの番号を付けられた１０個の１ｍｓサブフレームを含み得る。サブフレームは、２つの．５ｍｓスロットにさらに分割され得、その各々は、（各シンボルにプリペンドされた(prepended)サイクリックプレフィックス（ＣＰ）の長さに依存して）６つまたは７つの変調シンボル期間を含んでいる。ＣＰを除いて、各シンボルは２０４８個のサンプル期間を含んでいる。いくつかのケースでは、サブフレームは、ＴＴＩとしても知られる、最も小さいスケジューリング単位であり得る。他のケースでは、ＴＴＩは、サブフレームよりも短いことがあるか、または（たとえば、短いＴＴＩバーストにおいて、または短いＴＴＩを使用する選択されたコンポーネントキャリア（ＣＣ：component carrier）において）動的に選択され得る。
【００２７】
[0034]いくつかのケースでは、ワイヤレス通信システムは、１つまたは複数のＥＣＣを利用し得る。ＥＣＣは、フレキシブルな帯域幅と、可変長ＴＴＩ(variable length ＴＴＩs)と、および変更された制御チャネル構成とを含む、１つまたは複数の特徴によって特徴づけられ得る。いくつかのケースでは、ＥＣＣは、キャリアアグリゲーション構成またはデュアル接続性構成(dual connectivity configuration)（すなわち、マルチプルなサービングセルは準最適な(suboptimal)バックホールリンクを有するとき）に関連し得る。ＥＣＣはまた、（２つ以上の事業者は、スペクトルを使用するためにライセンスされている場合）ライセンスされていないスペクトルまたは共有されたスペクトルにおいて、使用に関して構成され得る。フレキシブルな帯域幅によって特徴づけられるＥＣＣは、全帯域幅を監視することが可能でないか、または（たとえば、電力を節約するために）限られた帯域幅を使用することの方を好むＵＥ１１５によって利用され得る１つまたは複数のセグメントを含み得る。
【００２８】
[0035]いくつかのケースでは、ＥＣＣは、可変ＴＴＩ長 (variable ＴＴＩlength)を利用し得、それは、低減されたまたは可変のシンボル持続時間の使用を含み得る。いくつかのケースでは、シンボル持続時間は同じままであり得るが、各シンボルは別個のＴＴＩを表し得る。いくつかのケースでは、ＥＣＣは、異なるＴＴＩ長に関連するマルチプルな階層レイヤを含み得る。たとえば、１つの階層レイヤにおけるＴＴＩは均一な１ｍｓサブフレームに対応し得、第２のレイヤでは、可変長ＴＴＩは短い持続時間のシンボル期間のバースト(bursts)に対応し得る。いくつかのケースでは、より短いシンボル持続時間は、増加されたサブキャリア間隔にも関連し得る。
【００２９】
[0036]フレキシブルな帯域幅および可変ＴＴＩは、変更された制御チャネル構成に関連し得る（たとえば、ＥＣＣは、ＤＬ制御情報に関してｅＰＤＣＣＨを利用し得る）。たとえば、ＥＣＣの１つまたは複数の制御チャネルは、フレキシブルな帯域幅の使用に適応するために、ＦＤＭスケジューリングを利用し得る。他の制御チャネルの変更は、（たとえば、ｅＭＢＭＳスケジューリングに関する、または可変長ＵＬおよびＤＬのバーストの長さを示すための）追加の制御チャネルの使用、あるいは異なる間隔で送信される制御チャネルの使用を含む。ＥＣＣはまた、変更されたまたは追加のＨＡＲＱ関係制御情報(ＨＡＲＱ related control information)を含み得る。
【００３０】
[0037]いくつかのケースでは、ＵＥ１１５（またはＡＰ１０５）は、中央ＡＰ１０５によって検出可能であり得、中央ＡＰ１０５のカバレージエリア１１０中の他のＵＥ１１５によって検出可能でないことがある。たとえば、１つのＵＥ１１５は中央ＡＰ１０５のカバレージエリア１１０の一端にあり得、別のＵＥ１１５は他端にあり得る。したがって、両方のＵＥ１１５は、ＡＰ１０５と通信し得るが、他方の送信を受信しないことがある。これは、ＵＥ１１５が互いのトップで(on top of each other)送信することを控えないことがあるので、コンテンションベースの環境（たとえば、ＣＳＭＡ／ＣＡ）における２つのＵＥ１１５に関する衝突する送信を生じ得る。それの送信が特定可能でないが、同じカバレージエリア１１０内にあるＵＥ１１５は、隠れノードとして知られ得る。キャリア感知多重アクセス／衝突回避（ＣＳＭＡ／ＣＡ：carrier sense multiple access with collision avoidance）は、送信ＵＥ１１５、基地局１０５、またはＡＰ１０５によって送信された送信要求（ＲＴＳ：request-to-send）パケットと、および受信ＵＥ１１５、基地局１０５、またはＡＰ１０５によって送信された送信可（ＣＴＳ）パケットとの交換によって補足され得る。これは、１次送信の持続時間の間送信しないように、送信側と受信側との範囲内の他のデバイスに警告し得る。したがって、ＲＴＳ／ＣＴＳは、隠れノード問題を緩和するのを助け得る。
【００３１】
[0038]基地局１０５は、無線周波数スペクトル帯域のマルチプルなサブバンドを含むチャネル上で、ＣＣＡプロシージャを実施し得る。基地局１０５は、チャネルはＣＣＡに基づいて利用可能であると決定し得、およびその後、特殊ヘッダを送信し得る。いくつかの例では、特殊ヘッダはマルチプルなＴＴＩを含み得、ここで、各ＴＴＩは、無線周波数スペクトル帯域の各サブバンド中でヘッダパケットを含み得る。いくつかのケースでは、ヘッダパケットはＣＴＳ−ｔｏ−ｓｅｌｆフレーム構造を含み得る。基地局は、第１の電力レベルにおいて、サブバンドの各々にわたって第１のＴＴＩを送信し得、および異なる電力レベルにおいて、サブバンドにわたって追加のＴＴＩを送信し得る。追加のヘッダパケットは、後続のサブフレームの境界において送信され得る。
【００３２】
[0039]図２は、ＬＴＥ制御Ｗｉ−ＦｉシステムにおけるＣＴＳ−ｔｏ−ｓｅｌｆ送信に関するワイヤレス通信システム２００の一例を示す。ワイヤレス通信システム２００は、基地局１０５−ａとＵＥ１１５−ａとおよびＷｉ−Ｆｉ  ＡＰ２０５とを含み得、それは、図１に言及して記述された対応するデバイスの例であり得る。ワイヤレス通信システム２００は、ＬＴＥ−ＣＷネットワークの一例であり得、ここで、データチャネル２１０上の送信は共有されたスペクトルを利用し得、制御チャネル上の送信は専用スペクトルを使用し得る。ワイヤレス通信システム２００は、特殊ヘッダを使用して共有された無線周波数スペクトルにおける通信をサポートし得、ここで、特殊ヘッダは、ＣＴＳ−ｔｏ−Ｓｅｌｆフレーム構造をもつマルチプルなヘッダパケットを含み得る。
【００３３】
[0040]ＬＴＥ／Ａネットワークのような、ワイヤレスワイドエリアネットワーク（ＷＷＡＮ）は、多数の基地局を含み得、各々はマルチプルなＵＥに関する通信を一斉にサポートする。いくつかのケースでは、アップリンク（ＵＬ）およびダウンリンク（ＤＬ）通信は、専用またはライセンスされているスペクトルにおけるマルチプルな無線周波数帯域（たとえば、４つの２０ＭＨｚ帯域を含む８０ＭＨｚ帯域）上で送信され得る。そのようなＷＷＡＮは、Ｗｉ−Ｆｉネットワークのような、ワイヤレスローカルエリアネットワーク（ＷＬＡＮ）と共存し得、それは、共有された周波数スペクトル上でマルチプルなモバイルデバイスまたは局に関する通信を一斉にサポートする多数の基地局またはアクセスポイント（ＡＰ）を含み得る。
【００３４】
[0041]ＷＬＡＮは、共有された周波数スペクトルにおける通信リンクを確立するより以前に１つまたは複数の制御フレームを通信することを含む、コンテンションベースのプロシージャを使用し得る。たとえば、デバイスは、毎回のデータパケットの送信の前にクリアチャネルアセスメント（ＣＣＡ）プロシージャを実施し得る。共有された周波数スペクトルにおいて動作するＷＷＡＮの場合、デバイスは、各成功裏のＣＣＡに続いてパケットを送信し得る。時分割複信（ＴＤＤ）ベースの通信を使用するＷＷＡＮでは、ＣＣＡは、多数の連続フレームに関して実施され得、それは、ＵＬおよびＤＬ送信に関するセルに固有の構成を有し得る。
【００３５】
[0042]ＷＷＡＮおよびＷＬＡＮのハイブリッド手法は使用され得、ここで、専用スペクトルはネットワークメッセージング（たとえば、制御情報、無線リソース制御（ＲＲＣ）シグナリングなど）に関して使用され得、共有された周波数スペクトルはデータ送信に関して使用され得る。このハイブリッド手法は、ＬＴＥ−ＣＷネットワークと言及され得る。ＬＴＥ−ＣＷを利用するワイヤレス通信システム２００では、専用帯域のロバストネスは、ライセンスされていない帯域中のＷｉ−Ｆｉリンクの性能およびカバレージを改善するために、ＬＴＥリンクを使用するように、レベレッジされ得る。ＬＴＥ−ＣＷ技術は、マルチプルなＵＥ１１５、Ｗｉ−ｆｉ  ＡＰ２０５および／または異なる事業者からの他の基地局１０５をサポートするエリア中で使用され得る。しかしながら、いくつかのケースでは、異なる事業者の基地局１０５、またはＷｉ−Ｆｉ  ＡＰ２０５による同時送信は、互いに干渉し得、および共有された周波数スペクトルを使用するデバイス間の通信を劣化させ得る。
【００３６】
[0043]いくつかのケースでは、基地局１０５−ａは、ＤＬフレームの間に異なるインスタンスにおけるＷｉ−Ｆｉのコンパチブルなヘッダを送信し得る。たとえば、Ｗｉ−Ｆｉのコンパチブルなヘッダは、基地局１０５−ａがＣＣＡを完了した後にチャネルはクリアであることを検出すると送信され得、および同じフレーム中の後続のダウンリンクサブフレームの境界において再び送信され得る。その結果、ヘッダ中で搬送されるネットワーク割振りベクトル（ＮＡＶ）の情報は、他の事業者に関するいずれかの追加のＬＴＥ−ＣＷ基地局の送信、あるいはＬＴＥ−ＣＷ／ＬＴＥ−ＣＷまたはＬＴＥ−ＣＷ／Ｗｉ−Ｆｉ共存ネットワークの範囲内のいずれかのＷｉ−Ｆｉ  ＡＰ２０５の送信を延期し得る。加えて、ヘッダ中の受信アドレスフィールドは、送信ＬＴＥ−ＣＷノードの送信アドレスを含み得る。したがって、ヘッダの機能性は、Ｗｉ−Ｆｉにおいて使用されるＣＴＳ−ｔｏ−Ｓｅｌｆフレーム送信（たとえば、送信ノード自体のアドレスを含むＣＴＳパケットの送信）のそれ同様であり得る。ＣＴＳ−ｔｏ−Ｓｅｌｆ送信は、通信シーケンス中の後続のフレームにＮＡＶの保護を与え得る。しかしながら、ＬＴＥ−ＣＷシステムによる通信がマルチプルな帯域（たとえば、マルチプルな２０ＭＨｚ帯域）を使用するとき、ヘッダ情報は、帯域のうちの１つにわたって送信され得るにすぎず、それは、同じリソースに関して競合している(contending)他の近くの基地局１０５またはＷｉ−Ｆｉデバイスからの干渉を生じ得る。
【００３７】
[0044]ＣＴＳ−ｔｏ−Ｓｅｌｆ送信は、マルチプルなＬＴＥ−ＣＷ基地局またはマルチプルなＷｉ−Ｆｉ  ＡＰの共存とともに効率的なマルチバンド送信を達成するために、ＬＴＥ−ＣＷシステムにおける通信に関して使用され得る。その結果、ＣＴＳ−ｔｏ−Ｓｅｌｆ送信の比較的より大きい浸透は達成され得、および異なる事業者またはＷｉ−Ｆｉアクセスポイントによって制御されるＬＴＥ−ＣＷノードからの送信は延期され得、低減された干渉をもつ通信を可能にし得る。
【００３８】
[0045]ワイヤレス通信システム２００では、ＬＴＥ−ＣＷ基地局１０５−ａによるＣＴＳ−ｔｏ−Ｓｅｌｆ送信は、ヘッダ送信に組み込まれ得る。いくつかのケースでは、ＣＴＳ−ｔｏ−Ｓｅｌｆヘッダは、異なる技法を与える基地局１０５−ａによって送信され得る。たとえば、基地局１０５−ａは、ＣＣＡプロシージャに続いてチャネルはクリアであることを検出し得、および特殊ヘッダをその後送信し得、ここで、特殊ヘッダは、各々が、各サブバンド中でヘッダパケット（たとえば、マルチプルな２０ＭＨｚヘッダパケットのブロック）を含む、マルチプルなＴＴＩを含み得る。加えてまたは代替的に、基地局１０５−ａは、同じフレーム内の後続のダウンリンクサブフレームの境界において、すべてのサブバンド中で、複製されたフォーマットにおけるヘッダパケットを送信し得る。いくつかの例では、基地局１０５−ａは、すべてのスケジュールされたサブバンド中で、等しい電力レベルを用いて（たとえば、半分の電力において）ヘッダパケットを含む特殊ヘッダを送信し得、および次いで、各サブバンド中で、異なる電力レベルにおいて（たとえば、全電力において）ヘッダパケットの送信を交互に行い得る。
【００３９】
[0046]いくつかの例では、ヘッダパケットの固定された送信パターンは、特殊ヘッダ送信に関して使用され得、ここで、すべてのサブバンド中のヘッダは、一様にスプリットされた電力を用いて送信され得、その後に、全電力を用いて各サブバンド中の連続的なヘッダが続き得る。他のケースでは、ヘッダパケットは、ランダムまたは前もって決定されたホッピングパターン（たとえば、すべてのサブバンド上での非連続パターン）において送信され得る。いくつかのケースでは、ヘッダ情報は、同じ事業者に関するすべての基地局１０５に関して同じであり得、および異なる事業者によって異なる時間において送信され得る。したがって、異なる事業者のＬＴＥ−ＣＷノードまたはＷｉ−Ｆｉノード（たとえば、Ｗｉ−Ｆｉ  ＡＰ  ２０５）は、一斉に（同等であり得る）マルチプルなＣＴＳ−ｔｏ−Ｓｅｌｆ送信を受信し得る。ＣＴＳ−ｔｏ−Ｓｅｌｆ送信の同時受信は、エネルギーが同等の送信の組合せを通してブーストされ得るので、改善されたパケット検出を促進し得る。いくつかのケースでは、ＣＣＡプロセスは、異なる事業者に関する特殊ヘッダが同じ時間において送信されることがないように、異なるＬＴＥ−ＣＷ事業者に関して異なる持続時間を有し得る。
【００４０】
[0047]いくつかのケースでは、特殊ヘッダは比較的短い持続時間にわたって送信され得、それは、別の事業者の基地局１０５またはＷｉ−Ｆｉノード（たとえば、Ｗｉ−Ｆｉ  ＡＰ２０５）による干渉する送信を阻止し得る。たとえば、Ｗｉ−Ｆｉ  ＡＰ２０５は、共有された周波数スペクトルにおけるより低いサブバンド中で動作し得、およびより低い電力レベル（たとえば、半分の電力）において送信される第１のヘッダパケットに関連する基地局１０５−ａのカバレージを越え得る。基地局１０５−ａは、特殊ヘッダの一部として、およびできるだけ短い持続時間中で、より大きい電力レベル（たとえば、全電力）において、各サブバンドにわたって追加のヘッダパケットを送信し得る。そのような例では、Ｗｉ−Ｆｉ  ＡＰ２０５は、ＣＴＳ−ｔｏ−Ｓｅｌｆヘッダ送信を受信し得、およびその結果、送信を延期し得る。
【００４１】
[0048]図３は、ＬＴＥ制御Ｗｉ−ＦｉシステムにおけるＣＴＳ−ｔｏ−ｓｅｌｆ送信に関するワイヤレス通信システム３００の一例を示す。いくつかのケースでは、ワイヤレス通信システム３００は、図１〜図２に言及して記述されたように、ＵＥ１１５または基地局１０５によって実施される技法の態様を表し得る。ワイヤレス通信システム３００は、基地局１０５−ｂと、およびＷｉ−Ｆｉ  ＡＰ２０５−ａと、およびＷｉ−Ｆｉ  ＡＰ２０５−ｂとを含む、ＬＴＥ−ＣＷネットワークを表し得る。ワイヤレス通信システム３００は、特殊ヘッダを使用して共有された周波数スペクトルにおける通信をサポートし得、ここで、特殊ヘッダは、ＣＴＳ−ｔｏ−Ｓｅｌｆフレーム構造をもつマルチプルなヘッダパケットを含み得る。
【００４２】
[0049]ワイヤレス通信システム３００では、基地局１０５−ｂは、無線周波数スペクトルのマルチプルなサブバンドを使用して通信し得る。特殊ヘッダは、基地局１０５−ｂによって送信されたサブフレーム中に含まれ得、ここで、特殊ヘッダは、各サブバンド中でヘッダパケットをもつマルチプルなＴＴＩを含み得る。特殊ヘッダ中の第１のＴＴＩは、第１の電力レベル（たとえば、半分の電力）において送信されるヘッダパケットを含み得、および後続のＴＴＩは、サブバンドの各々にわたって異なる電力レベル（たとえば、全電力）において送信されるヘッダパケットを含み得る。ヘッダパケットはＣＴＳ−ｔｏ−Ｓｅｌｆフレーム構造を含み得る。
【００４３】
[0050]いくつかの例では、第１の電力レベルカバレージエリア３１０−ａは、第１の電力レベルにおいて送信されるヘッダパケットに関連し得、それは、異なる電力レベルよりも比較的低い電力レベルであり得る。その結果、第１の電力レベルカバレージエリア３１０−ａ内に位置する１つまたは複数のＷｉ−Ｆｉ  ＡＰ２０５−ａは、ＣＴＳ−ｔｏ−Ｓｅｌｆ情報を含む第１のヘッダパケットを受信し得、および共有された周波数スペクトル上で送信することを控え得る。
【００４４】
[0051]そのようなケースでは、１つまたは複数のＷｉ−Ｆｉ  ＡＰ２０５−ｂは、第１の電力レベルカバレージエリア３１０−ａの外側に位置され得、および第１の電力レベルにおけるヘッダパケットを含む第１のＴＴＩを受信しないことがある。しかしながら、Ｗｉ−Ｆｉ  ＡＰ２０５−ｂは、（上記で議論されたように、第１の電力レベルよりも比較的大きくなり得る）異なる電力レベルにおいて送信されるヘッダパケットに関連する、異なる電力レベルカバレージエリア３１０−ｂ内にあり得る。追加の（１つまたは複数の）ＴＴＩの受信時に、Ｗｉ−Ｆｉ  ＡＰ３０５−ｂは、ＣＴＳ−ｔｏ−Ｓｅｌｆ情報を含むヘッダパケットを受信し得、および共有された周波数スペクトル上で送信することを控え得る。いくつかの例では、第１のＴＴＩと追加の（１つまたは複数の）ＴＴＩとの間の持続時間は、Ｗｉ−Ｆｉ  ＡＰ２０５−ｂが基地局１０５−ｂから追加の（１つまたは複数の）ＴＴＩ（および対応するヘッダパケット）を受信するより以前に送信しないことを保証するためにできるだけ短くなり得る。
【００４５】
[0052]図４は、ＬＴＥ制御Ｗｉ−Ｆｉシステムにおける自己への送信可送信に関するサブフレーム構成４００の一例を示す。いくつかのケースでは、サブフレーム構成４００は、図１〜図２に言及して記述されたように、ＵＥ１１５または基地局１０５によって実施される技法の態様を表し得る。図４は、特殊ヘッダ送信に関して使用され得るサブフレーム構造を記述する。
【００４６】
[0053]いくつかの例では、ＬＴＥ−ＣＷ基地局によって送信されたフレーム４０５は、共有された無線周波数スペクトルにおける通信に関して使用されるマルチプルなサブフレーム４１０を含み得る。フレーム４０５は、無線周波数スペクトルのマルチプルなサブバンド４２５を含むチャネルにわたって送信され得る。ダウンリンクサブフレーム４１５−ａは、共有された周波数スペクトルへのアクセスに関して競合するために使用されるサブフレーム構成を含み得る。したがって、サブフレーム構成は、マルチプルなサブバンド４２５の各々にわたって送信されるＣＣＡ４２０を含み得、その後に、特殊ヘッダ４３０（たとえば、マルチプルなＴＴＩ４３５を含むヘッダ）が続き得る。各ＴＴＩ４３５は、各サブバンド４２５に関してヘッダパケット４４０−ａを含み得る。
【００４７】
[0054]いくつかのケースでは、第１のＴＴＩ４３５は第１の電力レベルにおいて送信され得、および後続のＴＴＩ４３５は異なる電力レベルのプロファイル(profile)において送信されるヘッダパケット４４０−ａを含み得、ここで、第１の電力レベルは異なる電力レベルよりも比較的小さくなり得る。いくつかのケースでは、後続のＴＴＩ４３５は、サブバンド４２５の各々にわたって、連続パターン、非連続パターン、または連続パターンと非連続パターンとの組合せにおいて送信され得る。一例として、特殊ヘッダは４０ＭＨｚチャネル中で送信され得、および第１のＴＴＩ４３５では、ヘッダパケット４４０−ａは４０ＭＨｚチャネルの各２０ＭＨｚサブバンド中で半分の電力において送信され得る。第１のＴＴＩ４３５の直後の(immediately following)第２のＴＴＩ４３５では、ヘッダパケット４４０−ａは、第１の２０ＭＨｚサブバンド中で全電力において送信され得る。第２のＴＴＩ４３５の直後の第３のＴＴＩ４３５では、ヘッダパケット４４０−ａは、第２の２０ＭＨｚサブバンド中で送信され得る。
【００４８】
[0055]いくつかの例では、ヘッダパケット４４０−ａは、ＬＴＥ−ＣＷデバイスとＷｉ−Ｆｉデバイスの両方に特定可能であり得る。その結果、ヘッダパケット４４０−ａは、レガシーショートトレーニングフィールド（Ｌ−ＳＴＦ）、レガシーロングトレーニングフィールド（Ｌ−ＬＴＦ）、およびレガシー信号フィールド（Ｌ−ＳＩＧ）のような、連続シンボルを含み得、それは、共存システムにおいて使用され得る。そのようなケースでは、ヘッダパケットはまた、ＮＡＶ持続時間、パブリックランドモバイルネットワーク（ＰＬＭＮ）インジケータ、ｅＴＦＩＣＨなどを含み得る。いくつかのケースでは、ＮＡＶ持続時間はあるＮＡＶ値（たとえば、最高３２，７６８μｓまで設定され得る値）を示し得、ＰＬＭＮインジケータはマルチプルな識別（たとえば、最高６つの識別）を指定し得、およびｅＴＦＩＣＨは無線フレーム中の比を与え得る。
【００４９】
[0056]特殊ヘッダ４３０の送信の後に、サブフレーム構成は、パイロットシンボル４５５を含み得、その後に、通信データ４６０が続き得る。加えてまたは代替的に、追加のヘッダパケット４４０−ｂは、後続のサブフレームの境界において（たとえば、サブフレーム４１５−ａとサブフレーム４１５−ｂとの間の境界、およびすべての後続のサブフレーム４１０の境界において）同期的に送信され得る。いくつかの例では、追加のヘッダパケットは、第１の電力レベルまたは異なる電力レベルにおいて、すべてのサブバンド４２５にわたって送信され得る。
【００５０】
[0057]図５は、本開示の様々な態様に従った、ＬＴＥ制御Ｗｉ−Ｆｉシステムにおける自己への送信可送信に関するプロセスフロー５００の一例を示す。プロセスフロー５００は、基地局１０５−ｃとＵＥ１１５−ｂとを含み得、それは、図１〜図２に言及して記述された対応するデバイスの例であり得る。
【００５１】
[0058]ステップ５０５において、基地局１０５−ｃは、無線周波数スペクトル帯域のマルチプルなサブバンドにわたって動作するチャネル上で、ＣＣＡプロシージャを実施し得る。ステップ５１０において、基地局１０５−ｃは、チャネルは実施されたＣＣＡに少なくとも部分的に基づいて、利用可能であると決定し得る。
【００５２】
[0059]ステップ５１５において、基地局１０５−ｃは、マルチプルなサブバンドにわたって動作するチャネル中で、特殊ヘッダを送信し得、ここで、特殊ヘッダはマルチプルなＴＴＩを含み、各ＴＴＩはサブバンドの各々中でヘッダパケットを含む。いくつかのケースでは、基地局１０５−ｃは、第１の電力レベルにおいてマルチプルなＴＴＩの第１のＴＴＩを送信し得、および異なる電力レベルにおいて後続のＴＴＩを送信し得る。いくつかのケースでは、第１の電力レベルは異なる電力レベルよりも小さくなり得る。いくつかのケースでは、ヘッダパケットはＣＴＳ−ｔｏ−ｓｅｌｆフレーム構造を含み得る。基地局１０５−ｃは、無線周波数スペクトル帯域のサブバンド中で追加のヘッダパケットをさらに送信し得、ここで、追加のヘッダパケットの各々は、第１の電力レベルまたは異なる電力レベルにおいて送信される。いくつかのケースでは、追加のヘッダは、後続のサブフレームの境界において同期的に送信され得る。いくつかのケースでは、基地局１０５−ｃは、無線周波数スペクトル帯域の各サブバンドにわたって、連続パターンまたは非連続パターンにおいてヘッダパケットを送信し得、ここで、パターンはＣＣＡに少なくとも部分的に基づく。
【００５３】
[0060]いくつかのケースでは、基地局１０５−ｃは、第１の事業者に関する第１の時間および異なる事業者に関する第２の時間において特殊ヘッダを送信し得、ここで、第１の時間と第２の時間とは異なる。いくつかのケースでは、特殊ヘッダは、第１の事業者に関する第１の構成および異なる事業者に関する第２の構成をとり得る。いくつかのケースでは、ヘッダパケットはＷｉ−Ｆｉフレーム構造を含み得る。
【００５４】
[0061]図６は、本開示の様々な態様に従った、ＬＴＥ制御Ｗｉ−Ｆｉシステムにおける自己への送信可送信をサポートするワイヤレスデバイス６００のブロック図を示す。ワイヤレスデバイス６００は、図１および図２に言及して記述された基地局１０５の態様の一例であり得る。ワイヤレスデバイス６００は、受信機６０５と、ＣＴＳ−ｔｏ−Ｓｅｌｆマネージャ６１０と、および送信機６１５とを含み得る。ワイヤレスデバイス６００はプロセッサをも含み得る。これらのコンポーネントの各々は互いと通信していることがある。
【００５５】
[0062]受信機６０５は、パケット、ユーザデータ、または様々な情報チャネルに関連する制御情報（たとえば、制御チャネル、データチャネル、およびＬＴＥ制御Ｗｉ−Ｆｉシステムにおける自己への送信可送信に関係する情報など）のような情報を受信し得る。情報は、デバイスの他のコンポーネントに受け渡され得る。受信機６０５は、図９に言及して記述されるトランシーバ９２５の態様の一例であり得る。
【００５６】
[0063]ＣＴＳ−ｔｏ−Ｓｅｌｆマネージャ６１０は、無線周波数スペクトル帯域のマルチプルなサブバンドにわたって動作するチャネル上で、クリアチャネルアセスメントプロシージャを実施し得、チャネルは実施されたクリアチャネルアセスメントに少なくとも部分的に基づいて、利用可能であると決定し得、およびマルチプルなサブバンドにわたって動作するチャネル中で、特殊ヘッダを送信し得、ここで、特殊ヘッダは２つまたはそれ以上のＴＴＩを含み、各ＴＴＩは２つまたはそれ以上のサブバンドの各々中でヘッダパケットを含む。ＣＴＳ−ｔｏ−Ｓｅｌｆマネージャ６１０はまた、図９に言及して記述されるＣＴＳ−ｔｏ−Ｓｅｌｆマネージャ９０５の態様の一例であり得る。
【００５７】
[0064]送信機６１５は、ワイヤレスデバイス６００の他のコンポーネントから受信された信号を送信し得る。いくつかの例では、送信機６１５は、トランシーバモジュール中で受信機とコロケートされ(collocated)得る。たとえば、送信機６１５は、図９に言及して記述されるトランシーバ９２５の態様の一例であり得る。送信機６１５は単一のアンテナを含み得るか、またはそれは複数のアンテナを含み得る。
【００５８】
[0065]図７は、本開示の様々な態様に従った、ＬＴＥ制御Ｗｉ−Ｆｉシステムにおける自己への送信可送信をサポートするワイヤレスデバイス７００のブロック図を示す。ワイヤレスデバイス７００は、図１、図２、および図６に言及して記述されたワイヤレスデバイス６００または基地局１０５の態様の一例であり得る。ワイヤレスデバイス７００は、受信機７０５と、ＣＴＳ−ｔｏ−Ｓｅｌｆマネージャ７１０と、および送信機７３０とを含み得る。ワイヤレスデバイス７００はプロセッサをも含み得る。これらのコンポーネントの各々は互いと通信していることがある。
【００５９】
[0066]受信機７０５は、デバイスの他のコンポーネントに受け渡され得る情報を受信し得る。受信機７０５はまた、図６の受信機６０５に言及して記述された機能を実施し得る。受信機７０５は、図９に言及して記述されるトランシーバ９２５の態様の一例であり得る。ＣＴＳ−ｔｏ−Ｓｅｌｆマネージャ７１０は、図６に言及して記述されたＣＴＳ−ｔｏ−Ｓｅｌｆマネージャ６１０の態様の一例であり得る。ＣＴＳ−ｔｏ−Ｓｅｌｆマネージャ７１０は、特殊ヘッダコンポーネント７１５と、ＣＣＡコンポーネント７２０と、およびチャネル利用可能性コンポーネント７２５とを含み得る。ＣＴＳ−ｔｏ−Ｓｅｌｆマネージャ７１０は、図９に言及して記述されるＣＴＳ−ｔｏ−Ｓｅｌｆマネージャ９０５の態様の一例であり得る。
【００６０】
[0067]特殊ヘッダコンポーネント７１５は、第１の事業者に関する第１の時間および第２の事業者に関する第２の時間において、特殊ヘッダを送信し得、およびマルチプルなサブバンドにわたって動作するチャネル中で、特殊ヘッダを送信し得、ここで、特殊ヘッダは２つまたはそれ以上のＴＴＩを含み、各ＴＴＩは２つまたはそれ以上のサブバンドの各々中でヘッダパケットを含む。いくつかのケースでは、ヘッダパケットは自己への送信可フレーム構造を含む。いくつかのケースでは、第１の時間は第２の時間とは異なる。いくつかのケースでは、特殊ヘッダは、第１の事業者に関する第１の構成および第２の事業者に関する第２の構成のものである。いくつかのケースでは、ヘッダパケットはワイヤレスフィデリティフレーム構造を含む。
【００６１】
[0068]ＣＣＡコンポーネント７２０は、無線周波数スペクトル帯域のマルチプルなサブバンドにわたって動作するチャネル上で、クリアチャネルアセスメントプロシージャを実施し得る。チャネル利用可能性コンポーネント７２５は、チャネルは実施されたクリアチャネルアセスメントに少なくとも部分的に基づいて、利用可能であると決定し得る。
【００６２】
[0069]送信機７３０は、ワイヤレスデバイス７００の他のコンポーネントから受信された信号を送信し得る。いくつかの例では、送信機７３０は、トランシーバモジュール中で受信機とコロケートされ得る。たとえば、送信機７３０は、図９に言及して記述されるトランシーバ９２５の態様の一例であり得る。送信機７３０は単一のアンテナを利用し得るか、またはそれは複数のアンテナを利用し得る。
【００６３】
[0070]図８は、ワイヤレスデバイス６００またはワイヤレスデバイス７００の対応するコンポーネントの一例であり得るＣＴＳ−ｔｏ−Ｓｅｌｆマネージャ８００のブロック図を示す。すなわち、ＣＴＳ−ｔｏ−Ｓｅｌｆマネージャ８００は、図６および図７に言及して記述されたＣＴＳ−ｔｏ−Ｓｅｌｆマネージャ６１０またはＣＴＳ−ｔｏ−Ｓｅｌｆマネージャ７１０の態様の一例であり得る。ＣＴＳ−ｔｏ−Ｓｅｌｆマネージャ８００は、図９に言及して記述されるＣＴＳ−ｔｏ−Ｓｅｌｆマネージャ９０５の態様の一例でもあり得る。
【００６４】
[0071]ＣＴＳ−ｔｏ−Ｓｅｌｆマネージャ８００は、特殊ヘッダコンポーネント８０５と、ヘッダパケットコンポーネント８１０と、ＣＣＡコンポーネント８１５と、電力レベルコンポーネント８２０と、およびチャネル利用可能性コンポーネント８２５とを含み得る。これらのモジュールの各々は、直接的にまたは間接的に、（たとえば、１つまたは複数のバスを介して）互いと通信し得る。
【００６５】
[0072]特殊ヘッダコンポーネント８０５は、第１の事業者に関する第１の時間および第２の事業者に関する第２の時間において、特殊ヘッダを送信し得、およびマルチプルなサブバンドにわたって動作するチャネル中で、特殊ヘッダを送信し得、ここで、特殊ヘッダは２つまたはそれ以上のＴＴＩを含み、各ＴＴＩは２つまたはそれ以上のサブバンドの各々中でヘッダパケットを含む。いくつかのケースでは、ヘッダパケットは自己への送信可フレーム構造を含む。いくつかのケースでは、第１の時間は第２の時間とは異なる。いくつかのケースでは、特殊ヘッダは、第１の事業者に関する第１の構成および第２の事業者に関する第２の構成のものである。いくつかのケースでは、ヘッダパケットはワイヤレスフィデリティフレーム構造を含む。
【００６６】
[0073]ヘッダパケットコンポーネント８１０は、無線周波数スペクトル帯域の２つまたはそれ以上のサブバンド中で１つまたは複数の追加のヘッダパケットを送信し得、ここで、追加のヘッダパケットの各々は、第１の電力レベルまたは異なる電力レベルにおいて送信され、無線周波数スペクトル帯域の各サブバンドにわたって、連続パターンにおいてヘッダパケットを送信し得、ここで、連続パターンはクリアチャネルアセスメントに少なくとも部分的に基づき、および無線周波数スペクトル帯域の各サブバンドにわたって、非連続パターンにおいてヘッダパケットを送信し得、ここで、非連続パターンはクリアチャネルアセスメントに少なくとも部分的に基づく。いくつかのケースでは、１つまたは複数の追加のヘッダは、後続のサブフレームの境界において同期的に送信される。ＣＣＡコンポーネント８１５は、無線周波数スペクトル帯域のマルチプルなサブバンドにわたって動作するチャネル上で、クリアチャネルアセスメントプロシージャを実施し得る。
【００６７】
[0074]電力レベルコンポーネント８２０は、第１の電力レベルにおいて、２つまたはそれ以上のサブバンドの各々にわたって、２つまたはそれ以上のＴＴＩのうちの第１のＴＴＩを送信し得、および異なる電力レベルにおいて、２つまたはそれ以上のサブバンドにわたって、２つまたはそれ以上のＴＴＩのうちの１つまたは複数の後続のＴＴＩを送信し得る。いくつかのケースでは、第１の電力レベルは異なるレベルよりも小さい。チャネル利用可能性コンポーネント８２５は、チャネルは実施されたクリアチャネルアセスメントに少なくとも部分的に基づいて、利用可能であると決定し得る。
【００６８】
[0075]図９は、本開示の様々な態様に従った、ＬＴＥ制御Ｗｉ−Ｆｉシステムにおける自己への送信可送信をサポートする構成されたデバイスを含むワイヤレスシステム９００の図を示す。たとえば、ワイヤレスシステム９００は、基地局１０５−ｄを含み得、それは、図１、図２および図６〜図８に言及して記述されたように、ワイヤレスデバイス６００、ワイヤレスデバイス７００、または基地局１０５の一例であり得る。基地局１０５−ｄはまた、通信を送信するためのコンポーネントと通信を受信するためのコンポーネントとを含む、双方向の音声およびデータ通信に関するコンポーネントを含み得る。たとえば、基地局１０５−ｄは、１つまたは複数のＵＥ１１５と双方向に通信し得る。
【００６９】
[0076]基地局１０５−ｄは、ＣＴＳ−ｔｏ−Ｓｅｌｆマネージャ９０５と、メモリ９１０と、プロセッサ９２０と、トランシーバ９２５と、アンテナ９３０と、基地局通信モジュール９３５と、およびネットワーク通信モジュール９４０とをも含み得る。これらのモジュールの各々は、直接的にまたは間接的に、（たとえば、１つまたは複数のバスを介して）互いと通信し得る。ＣＴＳ−ｔｏ−Ｓｅｌｆマネージャ９０５は、図６〜図８に言及して記述されたように、ＣＴＳ−ｔｏ−Ｓｅｌｆマネージャの一例であり得る。
【００７０】
[0077]メモリ９１０は、ランダムアクセスメモリ（ＲＡＭ）と読取り専用メモリ（ＲＯＭ）とを含み得る。メモリ９１０は、実行されるとき、プロセッサに本明細書で記述される様々な機能（たとえば、ＬＴＥ制御Ｗｉ−Ｆｉシステムにおける自己への送信可送信など）を実施させる命令を含むコンピュータ可読、コンピュータ実行可能ソフトウェアを記憶し得る。いくつかのケースでは、ソフトウェア９１５は、プロセッサによって直接的に実行可能でないことがあるが、（たとえば、コンパイルされおよび実行されるとき）コンピュータに本明細書で記述される機能を実施させ得る。プロセッサ９２０は、インテリジェントハードウェアデバイス、（たとえば、中央処理ユニット（ＣＰＵ）、マイクロコントローラ、特定用途向け集積回路（ＡＳＩＣ）など）を含み得る。
【００７１】
[0078]トランシーバ９２５は、上記で記述されたように、１つまたは複数のアンテナ、ワイヤードリンク、またはワイヤレスリンクを介して、１つまたは複数のネットワークと双方向に通信し得る。たとえば、トランシーバ９２５は、基地局１０５またはＵＥ１１５と双方向に通信し得る。トランシーバ９２５はまた、パケットを変調し、および変調されたパケットを送信に関してアンテナに与えるための、およびアンテナから受信されたパケットを復調するためのモデムを含み得る。
【００７２】
[0079]いくつかのケースでは、ワイヤレスデバイスは単一のアンテナ９３０を含み得る。しかしながら、いくつかのケースでは、デバイスは、２つ以上のアンテナ９３０を有し得、それは、マルチプルなワイヤレス送信を同時に(concurrently)送信または受信することが可能であり得る。
【００７３】
[0080]基地局通信モジュール９３５は、他の基地局１０５との通信を管理し得、および他の基地局１０５と協働して(in cooperation with)ＵＥ１１５との通信を制御するためのコントローラまたはスケジューラを含み得る。たとえば、基地局通信モジュール９３５は、ビームフォーミングまたはジョイント送信のような様々な干渉緩和の技法に関するＵＥ１１５への送信に関するスケジューリングを協調させ得る。いくつかの例では、基地局通信モジュール−９５は、基地局１０５間の通信を行うために、ＬＴＥ／ＬＴＥ−Ａワイヤレス通信ネットワーク技術内のＸ２のインターフェースを与え得る。
【００７４】
[0081]ネットワーク通信モジュール９４０は、（たとえば、１つまたは複数のワイヤードバックホールリンクを介して）コアネットワークとの通信を管理し得る。たとえば、ネットワーク通信モジュール９４０は、１つまたは複数のＵＥ１１５のような、クライアントデバイスに関するデータ通信の転送を管理し得る。
【００７５】
[0082]図１０は、本開示の様々な態様に従った、ＬＴＥ制御Ｗｉ−Ｆｉシステムにおける自己への送信可送信に関する方法１０００を示すフローチャートを示す。方法１０００の動作は、図１および図２に言及して記述されたように、基地局１０５またはそれのコンポーネントによって実装され得る。たとえば、方法１０００の動作は、本明細書で記述されるように、ＣＴＳ−ｔｏ−Ｓｅｌｆマネージャによって実施され得る。いくつかの例では、基地局１０５は、以下で記述される機能を実施するようにデバイスの機能的な要素を制御するためのコードのセットを実行し得る。加えてまたは代替的に、基地局１０５は、専用ハードウェアを使用して、以下で記述される機能態様を実施し得る。
【００７６】
[0083]ブロック１００５において、基地局１０５は、図２〜図５に言及して上記で記述されたように、ＲＦスペクトル帯域のマルチプルなサブバンドにわたって動作するチャネル上で、ＣＣＡプロシージャを実施し得る。いくつかの例では、ブロック１００５の動作は、図７および図８に言及して記述されたように、ＣＣＡコンポーネントによって実施され得る。
【００７７】
[0084]ブロック１０１０において、基地局１０５は、チャネルは図２〜図５に言及して上記で記述されたように、実施されたＣＣＡに基づいて利用可能であると決定し得る。いくつかの例では、ブロック１０１０の動作は、図７および図８に言及して記述されたように、チャネル利用可能性コンポーネントによって実施され得る。
【００７８】
[0085]ブロック１０１５において、基地局１０５は、マルチプルなサブバンドにわたって動作するチャネル中で、特殊ヘッダを送信し得、ここで、特殊ヘッダは２つまたはそれ以上のＴＴＩを含み、各ＴＴＩは図２〜図５に言及して上記で記述されたように、２つまたはそれ以上のサブバンドの各々中でヘッダパケットを含む。いくつかの例では、ブロック１０１５の動作は、図７および図８に言及して記述されたように、特殊ヘッダコンポーネントによって実施され得る。
【００７９】
[0086]図１１は、本開示の様々な態様に従った、ＬＴＥ制御Ｗｉ−Ｆｉシステムにおける自己への送信可送信に関する方法１１００を示すフローチャートを示す。方法１１００の動作は、図１および図２に言及して記述されたように、基地局１０５またはそれのコンポーネントによって実装され得る。たとえば、方法１１００の動作は、本明細書で記述されるように、ＣＴＳ−ｔｏ−Ｓｅｌｆマネージャによって実施され得る。いくつかの例では、基地局１０５は、以下で記述される機能を実施するようにデバイスの機能的な要素を制御するためのコードのセットを実行し得る。加えてまたは代替的に、基地局１０５は、専用ハードウェアを使用して、以下で記述される機能態様を実施し得る。
【００８０】
[0087]ブロック１１０５において、基地局１０５は、図２〜図５に言及して上記で記述されたように、ＲＦスペクトル帯域のマルチプルなサブバンドにわたって動作するチャネル上で、ＣＣＡプロシージャを実施し得る。いくつかの例では、ブロック１１０５の動作は、図７および図８に言及して記述されたように、ＣＣＡコンポーネントによって実施され得る。
【００８１】
[0088]ブロック１１１０において、基地局１０５は、図２〜図５に言及して上記で記述されたように、チャネルは実施されたＣＣＡに基づいて利用可能であると決定し得る。いくつかの例では、ブロック１１１０の動作は、図７および図８に言及して記述されたように、チャネル利用可能性コンポーネントによって実施され得る。
【００８２】
[0089]ブロック１１１５において、基地局１０５は、マルチプルなサブバンドにわたって動作するチャネル中で、特殊ヘッダを送信し得、ここで、特殊ヘッダは２つまたはそれ以上のＴＴＩを含み、各ＴＴＩは２つまたはそれ以上のサブバンドの各々中でヘッダパケットを含む。基地局１０５は、第１の電力レベルにおいて、２つまたはそれ以上のサブバンドの各々にわたって、２つまたはそれ以上のＴＴＩのうちの第１のＴＴＩを送信し得、および図２〜図５に言及して上記で記述されたように、異なる電力レベルにおいて、２つまたはそれ以上のサブバンドにわたって、２つまたはそれ以上のＴＴＩのうちの１つまたは複数の後続のＴＴＩを送信し得る。いくつかの例では、ブロック１１１５の動作は、図７および図８に言及して記述されたように、特殊ヘッダコンポーネントによって実施され得る。
【００８３】
[0090]図１２は、本開示の様々な態様に従った、ＬＴＥ制御Ｗｉ−Ｆｉシステムにおける自己への送信可送信に関する方法１２００を示すフローチャートを示す。方法１２００の動作は、図１および図２に言及して記述されたように、基地局１０５またはそれのコンポーネントによって実装され得る。たとえば、方法１２００の動作は、本明細書で記述されるように、ＣＴＳ−ｔｏ−Ｓｅｌｆマネージャによって実施され得る。いくつかの例では、基地局１０５は、以下で記述される機能を実施するようにデバイスの機能的な要素を制御するためのコードのセットを実行し得る。加えてまたは代替的に、基地局１０５は、専用ハードウェアを使用して、以下で記述される機能態様を実施し得る。
【００８４】
[0091]ブロック１２０５において、基地局１０５は、図２〜図５に言及して上記で記述されたように、ＲＦスペクトル帯域のマルチプルなサブバンドにわたって動作するチャネル上で、ＣＣＡプロシージャを実施し得る。いくつかの例では、ブロック１２０５の動作は、図７および図８に言及して記述されたように、ＣＣＡコンポーネントによって実施され得る。
【００８５】
[0092]ブロック１２１０において、基地局１０５は、チャネルは図２〜図５に言及して上記で記述されたように、実施されたＣＣＡに基づいて利用可能であると決定し得る。いくつかの例では、ブロック１２１０の動作は、図７および図８に言及して記述されたように、チャネル利用可能性コンポーネントによって実施され得る。
【００８６】
[0093]ブロック１２１５において、基地局１０５は、マルチプルなサブバンドにわたって動作するチャネル中で、特殊ヘッダを送信し得、ここで、特殊ヘッダは２つまたはそれ以上のＴＴＩを含み、各ＴＴＩは図２〜図５に言及して上記で記述されたように、２つまたはそれ以上のサブバンドの各々中でヘッダパケットを含む。いくつかの例では、ブロック１２１５の動作は、図７および図８に言及して記述されたように、特殊ヘッダコンポーネントによって実施され得る。
【００８７】
[0094]ブロック１２２０において、基地局１０５は、ＲＦスペクトル帯域の２つまたはそれ以上のサブバンド中で、１つまたは複数の追加のヘッダパケットを送信し得、ここで、追加のヘッダパケットの各々は、図２〜図５に言及して上記で記述されたように、第１の電力レベルまたは異なる電力レベルにおいて送信される。いくつかの例では、ブロック１２２０の動作は、図７および図８に言及して記述されたように、ヘッダパケットコンポーネントによって実施され得る。
【００８８】
[0095]これらの方法は可能な実装形態を表すこと、および動作およびステップは、他の実装形態が可能であるように、並べ替えられ得るかまたは場合によっては変更され得ることに留意されたい。いくつかの例では、方法のうちの２つまたはそれ以上からの態様は組み合わせられ得る。たとえば、方法の各々の態様は、他の方法のステップまたは態様、あるいは本明細書で記述される他のステップまたは技法を含み得る。したがって、本開示の態様は、ＬＴＥ制御Ｗｉ−Ｆｉシステムにおける自己への送信可送信を提供し得る。
【００８９】
[0096]本明細書の記述は、当業者が本開示を作成または使用することができるように与えられる。本開示への様々な変更は当業者には容易に明らかとなり、および本明細書で定義された一般原理は、本開示の範囲から逸脱することなく他の変形形態に適用され得る。したがって、本開示は、本明細書で記述される例および設計に限定されるべきでなく、本明細書で開示される原理および新規の特徴に合致する最も広い範囲を与えられるべきである。
【００９０】
[0097]本明細書で記述される機能は、ハードウェア、プロセッサによって実行されるソフトウェア、ファームウェア、またはそれらのいずれかの組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内である。たとえば、ソフトウェアの性質に起因して、上記で記述された機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的（ＰＨＹ）ロケーションにおいて実装されるように分散されることを含めて、様々な位置に物理的に配置され得る。また、特許請求の範囲を含めて、本明細書で使用されるように、項目の列挙（たとえば、「のうちの少なくとも１つ」あるいは「１つまたは複数の」のような句によって終わる項目の列挙）中で使用されるような「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的な列挙を示す。
【００９１】
[0098]本明細書で使用されるように、句「に基づいて」は、条件の閉集合への言及として解釈されないものとする。たとえば、「条件Ａに基づいて」と記述される例示的なステップは、本開示の範囲から逸脱することなく条件Ａと条件Ｂの両方に基づき得る。言い換えれば、本明細書で使用されるように、句「に基づいて」は、句「に少なくとも部分的に基づいて」と同様にして解釈されるものとする。
【００９２】
[0099]コンピュータ可読媒体は、１つの場所から別の場所へのコンピュータプログラムの転送を促進するいずれかの媒体を含む、非一時的コンピュータ記憶媒体と通信媒体の両方を含む。非一時的記憶媒体は、汎用または専用コンピュータによってアクセスされ得るいずれかの利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、および汎用もしくは専用コンピュータ、または汎用もしくは専用プロセッサによってアクセスされ得る、いずれかの他の非一時的媒体を含むことができる。また、いずれかの接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用されるように、ディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【００９３】
[00100]本明細書で記述される技法は、ＣＤＭＡ、ＴＤＭＡ、ＦＤＭＡ（ＦＤＭＡ）、ＯＦＤＭＡ（ＯＦＤＭＡ）、シングルキャリア周波数分割多元接続（ＳＣ−ＦＤＭＡ）、および他のシステムのような様々なワイヤレス通信システムに関して使用され得る。用語「システム」および「ネットワーク」は、しばしば互換的に使用される。ＣＤＭＡシステムは、ＣＤＭＡ２０００、ユニバーサル地上波無線アクセス（ＵＴＲＡ）などのような無線技術を実装し得る。ＣＤＭＡ２０００は、ＩＳ−２０００、ＩＳ−９５、およびＩＳ−８５６の規格をカバーする。ＩＳ−２０００リリース０およびＡは、一般に、ＣＤＭＡ２０００  １Ｘ、１Ｘなどと言及される。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと言及される。ＵＴＲＡは、広帯域ＣＤＭＡ（ＷＣＤＭＡ（登録商標）：Wideband CDMA）およびＣＤＭＡの他の変形態を含む。ＴＤＭＡシステムは、（モバイル通信用グローバルシステム（ＧＳＭ（登録商標）：Global System for Mobile communications））のような無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどのような無線技術を実装し得る。ＵＴＲＡおよびＥ−ＵＴＲＡは、ユニバーサルモバイルテレコミュニケーションズシステム（ユニバーサルモバイルテレコミュニケーションズシステム（ＵＭＴＳ：Universal Mobile Telecommunications System））の一部である。３ＧＰＰ（登録商標）  ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ：3rd Generation Partnership Project）と称する団体からの文書に記述されている。ＣＤＭＡ２０００およびＵＭＢは、「第３世代パートナーシッププロジェクト２」（３ＧＰＰ２：3rd Generation Partnership Project 2）と称する団体からの文書に記述されている。本明細書で記述される技法は、上記のシステムおよび無線技術、ならびに他のシステムおよび無線技術に関して使用され得る。本明細書の記述は、しかしながら、例の目的でＬＴＥシステムを記述し、およびＬＴＥ用語は上記の記述の大部分において使用され、本技法はＬＴＥの適用以外に適用可能である。
【００９４】
[00101]本明細書で記述されるネットワークを含む、ＬＴＥ／ＬＴＥ−Ａネットワークでは、用語発展型ノードＢ（ｅＮＢ）は、基地局を表すために一般的に使用され得る。本明細書で記述される１つまたは複数のワイヤレス通信システムは、異なるタイプのｅＮＢが様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。用語「セル」は、コンテキストに依存して、基地局、基地局に関連するキャリアまたはコンポーネントキャリア（ＣＣ）、あるいはキャリアまたは基地局のカバレージエリア（たとえば、セクタなど）を記述するために使用され得る３ＧＰＰ用語である。
【００９５】
[00102]基地局は、基地トランシーバ局、無線基地局、ＡＰ、無線トランシーバ、ノードＢ、ｅノードＢ（ｅＮＢ）、ホームノードＢ、ホームｅノードＢ、またはいくつかの他の好適な用語を含み得るか、あるいはそのように当業者によって言及され得る。基地局に関する地理的カバレージエリアは、カバレージエリアの一部分のみを構成するセクタに分割され得る。本明細書で記述される１つまたは複数のワイヤレス通信システムは、異なるタイプの基地局（たとえば、マクロセル基地局またはスモールセル基地局）を含み得る。本明細書で記述されるＵＥは、マクロｅＮＢ、スモールセルｅＮＢ、リレー基地局、以下同様を含む、様々なタイプの基地局およびネットワーク機器と通信することが可能であり得る。異なる技術に関する重複する地理的カバレージエリアがあり得る。
【００９６】
[00103]マクロセルは、比較的大きい地理的エリア（たとえば、半径数キロメートル）を一般的にカバーし、およびネットワークプロバイダのサービス加入を有するＵＥによる制限されていないアクセスを可能にし得る。スモールセルは、マクロセルと比較して、マクロセルと同じまたは異なる（たとえば、ライセンスされている、ライセンスされていないなどの）周波数帯域内で動作し得る、低電力の基地局である。スモールセルは、様々な例に従って、ピコセル、フェムトセル、およびマイクロセルを含み得る。ピコセルは、たとえば、小さい地理的エリアをカバーし得、およびネットワークプロバイダのサービス加入を有するＵＥによる制限されていないアクセスを可能にし得る。フェムトセルはまた、小さい地理的エリア（たとえば、自宅）をカバーし得、およびフェムトセルとの関連を有するＵＥ（たとえば、限定された加入者グループ（ＣＳＧ）中のＵＥ、自宅内のユーザに関するＵＥ、以下同様）による制限されているアクセスを与え得る。マクロセルに関するｅＮＢはマクロｅＮＢと言及され得る。スモールセルに関するｅＮＢは、スモールセルｅＮＢ、ピコｅＮＢ、フェムトｅＮＢ、またはホームｅＮＢと言及され得る。ｅＮＢは、１つまたはマルチプルな（たとえば、２つ、３つ、４つ、以下同様）セル（たとえば、ＣＣ）をサポートし得る。ＵＥは、マクロｅＮＢ、スモールセルｅＮＢ、リレー基地局、以下同様を含む、様々なタイプの基地局およびネットワーク機器と通信することが可能であり得る。
【００９７】
[00104]本明細書で記述される１つまたは複数のワイヤレス通信システムは、同期の動作または非同期の動作をサポートし得る。同期の動作の場合、基地局は同様のフレームタイミングを有し得、および異なる基地局からの送信は時間的に近似的にアラインされ(be approximately aligned in time)得る。非同期の動作の場合、基地局は異なるフレームタイミングを有し得、および異なる基地局からの送信は時間的にアラインされないことがある。本明細書で記述される技法は、同期の動作または非同期の動作のいずれかに関して使用され得る。
【００９８】
[00105]本明細書で記述されるＤＬ送信は順方向リンク送信と呼ばれることもあり、ＵＬ送信は逆方向リンク送信と呼ばれることもある。たとえば、図１および図２のワイヤレス通信システム１００および２００を含む、本明細書で記述される各通信リンクは、１つまたは複数のキャリアを含み得、ここで、各キャリアは、マルチプルなサブキャリアからなる信号（たとえば、異なる周波数の波形信号）であり得る。各変調された信号は、異なるサブキャリア上で送られ得、および制御情報（たとえば、基準信号、制御チャネルなど）、オーバーヘッド情報、ユーザデータなどを搬送し得る。本明細書で記述される通信リンク（たとえば、図１の通信リンク１２５）は、周波数分割複信（ＦＤＤ）を使用して（たとえば、対のスペクトルリソースを使用して）または時分割複信（ＴＤＤ）動作を使用して（たとえば、不対のスペクトルリソースを使用して）双方向通信を送信し得る。フレーム構造は、ＦＤＤ（たとえば、フレーム構造タイプ１）およびＴＤＤ（たとえば、フレーム構造タイプ２）に関して定義され得る。
【００９９】
[00106]したがって、本開示の態様は、ＬＴＥ制御Ｗｉ−Ｆｉシステムにおける自己への送信可送信を提供し得る。これらの方法は可能な実装形態を記述すること、ならびに動作およびステップは、他の実装形態が可能であるように、並べ替えられ得るかまたは場合によっては変更され得ることに留意されたい。いくつかの例では、方法のうちの２つまたはそれ以上からの態様が組み合わせられ得る。
【０１００】
[00107]本明細書の開示に結びついて記述された様々な例示的なブロックおよびモジュールは、汎用プロセッサ、デジタル信号プロセッサ（ＤＳＰ）、ＡＳＩＣ、フィールドプログラマブルゲートアレイ（ＦＰＧＡ）または他のプログラマブル論理デバイス、個別ゲートまたはトランジスタ論理、個別ハードウェアコンポーネント、あるいは本明細書で記述された機能を実施するように設計されたそれらのいずれかの組合せを用いて実装または実施され得る。汎用プロセッサはマイクロプロセッサであり得るが、代替に、プロセッサは、いずれかの従来のプロセッサ、コントローラ、マイクロコントローラ、または状態機械であり得る。プロセッサは、コンピューティングデバイスの組合せ（たとえば、ＤＳＰとマイクロプロセッサとの組合せ、マルチプルなマイクロプロセッサ、ＤＳＰコアと連携する１つまたは複数のマイクロプロセッサ、またはいずれかの他のそのような構成）としても実装され得る。したがって、本明細書で記述される機能は、１つまたは複数の他の処理ユニット（またはコア）によって、少なくとも１つの集積回路（ＩＣ）上で実施され得る。様々な例では、異なるタイプのＩＣ（たとえば、ストラクチャード／プラットフォームＡＳＩＣ、ＦＰＧＡ、または別のセミカスタムＩＣ）は使用され得、それは、当技術分野で知られているいずれかの様式でプログラムされ得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１０１】
[00108]添付の図において、同様のコンポーネントまたは特徴は同じ参照ラベルを有し得る。さらに、同じタイプの様々なコンポーネントは、参照ラベルの後に、ダッシュとおよび同様のコンポーネントを区別する第２のラベルを続けることによって区別され得る。第１の参照ラベルのみが本明細書において使用される場合、その記述は、第２の参照ラベルにかかわらず、同じ第１の参照ラベルを有する同様のコンポーネントのいずれにも適用可能である。
【図１】
2018535600.tif 000003
【図２】
2018535600.tif 000004
【図３】
2018535600.tif 000005
【図４】
2018535600.tif 000006
【図５】
2018535600.tif 000007
【図６】
2018535600.tif 000008
【図７】
2018535600.tif 000009
【図８】
2018535600.tif 000010
【図９】
2018535600.tif 000011
【図１０】
2018535600.tif 000012
【図１１】
2018535600.tif 000013
【図１２】
2018535600.tif 000014
【国際調査報告】
2018535600.tif 000015
2018535600.tif 000016